(57)【要約】【課題】電気二重層キャパシタの製造上の工程管理に役立てることができる２種類の漏れ電流値を算出する方法及び装置を提供する。【解決手段】本発明の方法においては、電気二重層キャパシタの自己放電中の電圧値及び電流値を測定することによって、ファラディックな漏れ電流及びオーミックな漏れ電流の２種類の漏れ電流を算出する。例えば、０．９Ｖ（所定の基準電圧値）以下の電圧値に基づいて、オーミックな漏れ電流における抵抗値を求めておき（Ｓ３）、この抵抗値に基づいて定格電圧におけるオーミックな漏れ電流値を算出し（Ｓ４）、さらに定格電圧におけるオーミックな漏れ電流値に基づいて、ファラディックな漏れ電流値を算出する（Ｓ５）。【選択図】図２
2007227486.tif 000002
【特許請求の範囲】
【請求項１】
電気二重層キャパシタの自己放電中の電圧値及び電流値を測定することによって、ファラディックな漏れ電流及びオーミックな漏れ電流の２種類の漏れ電流を算出する電気二重層キャパシタの漏れ電流測定方法において、
所定の基準電圧値以下の電圧値に基づいて、オーミックな漏れ電流における抵抗値を求めておき、該抵抗値に基づいて定格電圧におけるオーミックな漏れ電流値を算出し、該定格電圧におけるオーミックな漏れ電流値に基づいて、ファラディックな漏れ電流値を算出することを特徴とする電気二重層キャパシタの漏れ電流測定方法。
【請求項２】
該所定の基準電圧値を０．９Ｖと定義することを特徴とする請求項１に記載の電気二重層キャパシタの漏れ電流測定方法。
【請求項３】
該所定の基準電圧値を１．２Ｖと定義することを特徴とする請求項１に記載の電気二重層キャパシタの漏れ電流測定方法。
【請求項４】
電気二重層キャパシタの自己放電中の電圧値及び電流値の測定は、自己放電の開始から定期的に行うことを特徴とする請求項１乃至請求項３のいずれかに電気二重層キャパシタの漏れ電流測定方法。
【請求項５】
ファラディックな漏れ電流及びオーミックな漏れ電流の２種類の漏れ電流を算出する電気二重層キャパシタの漏れ電流測定装置において、
電気二重層キャパシタの自己放電の開始から電圧値及び電流値を測定する電圧値・電流値測定手段と、
該電圧値・電流値測定手段によって取得された電圧値が所定の電圧値以下となったとき、この取得された電圧値に基づいて、オーミックな漏れ電流における抵抗値を算出する抵抗値算出手段と、
該抵抗値算出手段によって算出された抵抗値に基づいて、定格電圧におけるオーミックな漏れ電流値を算出するオーミックな漏れ電流算出手段と、
該オーミックな漏れ電流算出手段によって算出された定格電圧におけるオーミックな漏れ電流値に基づいて、定格電圧におけるファラディックな漏れ電流値を算出するファラディックな漏れ電流算出手段と、を有することを特徴とする電気二重層キャパシタの漏れ電流測定装置。
【請求項６】
該所定の基準電圧値を０．９Ｖと定義することを特徴とする請求項５に記載の電気二重層キャパシタの漏れ電流測定装置。
【請求項７】
該所定の基準電圧値を１．２Ｖと定義することを特徴とする請求項５に記載の電気二重層キャパシタの漏れ電流測定装置。
【請求項８】
該電圧値・電流値測定手段は、電気二重層キャパシタの電圧値及び電流値の測定を、自己放電の開始から定期的に行うことを特徴とする請求項１乃至請求項７のいずれかに電気二重層キャパシタの漏れ電流測定装置。
【発明の詳細な説明】
【技術分野】
【０００１】
本発明は、電気二重層キャパシタの製造工程の工程管理において、品質保持・品質向上のために資することができる電気二重層キャパシタの２種類の自己放電特性を測定するための方法及びそのための装置に関する。
【背景技術】
【０００２】
近年、大電流の充放電が可能な電気二重層キャパシタが注目されている。電気二重層キャパシタは、電極と電解液との界面においてイオンの分極によりできる電気二重層を利用したキャパシタであり、従来のキャパシタに比較して大容量の静電容量を充電できるとともに、急速充放電が可能であり、その応用が期待されている。この電気二重層キャパシタの用途としては、メモリバックアップ用や電気自動車のパワーアシスト用や電力貯蔵用蓄電池代替などがあり、小容量品から大容量品まで幅広く検討されている。
【０００３】
ここで、電気二重層キャパシタの単位キャパシタ当たりの耐電圧は、分極性電極に含浸される電解液（電解質、溶液）の電気分解に依存する。この電解液が水溶液系の場合は約１．２Ｖであり、有機系の場合は２．８〜３Ｖである。電解液が持つ電気分解の耐電圧より大きい電圧をキャパシタに印加すると、キャパシタは破壊される。そのため、高電圧の電気二重層キャパシタは、単位キャパシタが複数個、直列に接続する構造である。
【０００４】
一般に、電気二重層キャパシタの構成は、例えば、集電極上に形成した活性炭を主とする分極性電極を一対設け、この間に絶縁性のセパレータを挟むようにして電解液を満たした構造となっており、上記集電極を通して充放電することにより、前記分極性電極内部に静電容量を発生できるものである。
【０００５】
キャパシタの性能を計る一つの指標として、漏れ電流（自己放電）特性があり、これは、一度キャパシタに蓄積した電荷が、自己放電により消滅する過程に関する特性であり、キャパシタを組み込んだ装置では、蓄積電荷が実際に利用されるときまでにどの程度残っているかを示す特性である。この漏れ電流（自己放電）特性を改善した電気二重層キャパシタとしては、例えば、特許文献１（特許２００１−２４４１５２号公報）に、キャパシタ使用電圧よりも高い電圧での充放電サイクル又は、高い電圧での定電圧充電処理により、キャパシタの自己放電特性の定電圧充電時間依存性特性を改良して、実際の使用条件下でのキャパシタの電圧保持特性を高めた電気二重層キャパシタを製造する方法が記載されている。
【０００６】
ところで、電気二重層キャパシタの漏れ電流（自己放電）特性には、「ファラディックな漏れ電流」と「オーミックな漏れ電流」との２種類の漏れ電流があり、従来測定されているのは、これら２つの漏れ電流（自己放電）特性の和である。それぞれの漏れ電流（自己放電）特性を分離する試みについては、非特許文献１には、非特許文献１のＰ１０７に記載される図４−１５のようにいくつか電圧を変えて測定した自己放電特性値を、同じくＰ１０８の図４−１６のように図の右端を基準にしてノーマライズした上で、さらにそれぞれの曲線を対数にて直線化し、ファラディックな要素を含む自己放電特性値とファラディックな要素を含まないオーミックな自己放電特性値とを得ることが開示されている。
【特許文献１】特許２００１−２４４１５２号公報
【非特許文献１】岡村廸夫著「電気二重層キャパシタと蓄電システム」１９９９年３月３１日初版第１刷、日刊工業新聞社発行、第１０７頁〜第１０８頁
【発明の開示】
【発明が解決しようとする課題】
【０００７】
電気二重層キャパシタの「ファラディックな漏れ電流」と「オーミックな漏れ電流」との２種類の漏れ電流はそれぞれ発生原因が異なっており、通常の良品の電気二重層キャパシタはそれぞれの割合が所定の範囲内に収まっているが、異常品であるとどちらかの漏れ電流が多く（或いは、少なく）発生する、というようなことが起こる。電気二重層キャパシタの製造工程においては、「ファラディックな漏れ電流」と「オーミックな漏れ電流」の２種類の漏れ電流（自己放電）特性が分かれば、この２種類の漏れ電流（自己放電）特性に係る情報を工程管理にフィードバックして生かすことによって、安定した品質を保持した電気二重層キャパシタの製造を行うことができる。ところが、従来の製造工程における特性検査は、単なる自己放電特性を測定するだけであり、工程管理上、きめ細かな対応をすることができなかった。
【課題を解決するための手段】
【０００８】
本発明は、上記課題を解決するものであって、請求項１に係る発明は、電気二重層キャパシタの自己放電中の電圧値及び電流値を測定することによって、ファラディックな漏れ電流及びオーミックな漏れ電流の２種類の漏れ電流を算出する電気二重層キャパシタの漏れ電流測定方法において、所定の基準電圧値以下の電圧値に基づいて、オーミックな漏れ電流における抵抗値を求めておき、該抵抗値に基づいて定格電圧におけるオーミックな漏れ電流値を算出し、該定格電圧におけるオーミックな漏れ電流値に基づいて、ファラディックな漏れ電流値を算出することを特徴とする。
【０００９】
また、請求項２に係る発明は、請求項１に記載の電気二重層キャパシタの漏れ電流測定方法において、該所定の基準電圧値を０．９Ｖと定義することを特徴とする。
【００１０】
また、請求項３に係る発明は、請求項１に記載の電気二重層キャパシタの漏れ電流測定方法において、該所定の基準電圧値を１．２Ｖと定義することを特徴とする。
【００１１】
また、請求項４に係る発明は、請求項１乃至請求項３のいずれかに電気二重層キャパシタの漏れ電流測定方法において、電気二重層キャパシタの自己放電中の電圧値及び電流値の測定は、自己放電の開始から定期的に行うことを特徴とする。
【００１２】
また、請求項５に係る発明は、ファラディックな漏れ電流及びオーミックな漏れ電流の２種類の漏れ電流を算出する電気二重層キャパシタの漏れ電流測定装置において、電気二重層キャパシタの自己放電の開始から電圧値及び電流値を測定する電圧値・電流値測定手段と、該電圧値・電流値測定手段によって取得された電圧値が所定の電圧値以下となったとき、この取得された電圧値に基づいて、オーミックな漏れ電流における抵抗値を算出する抵抗値算出手段と、該抵抗値算出手段によって算出された抵抗値に基づいて、定格電圧におけるオーミックな漏れ電流値を算出するオーミックな漏れ電流算出手段と、
該オーミックな漏れ電流算出手段によって算出された定格電圧におけるオーミックな漏れ電流値に基づいて、定格電圧におけるファラディックな漏れ電流値を算出するファラディックな漏れ電流算出手段と、を有することを特徴とする。
【００１３】
また、請求項６に係る発明は、請求項５に記載の電気二重層キャパシタの漏れ電流測定装置において、該所定の基準電圧値を０．９Ｖと定義することを特徴とする。
【００１４】
また、請求項７に係る発明は、請求項５に記載の電気二重層キャパシタの漏れ電流測定装置において、該所定の基準電圧値を１．２Ｖと定義することを特徴とする。
【００１５】
また、請求項８に係る発明は、請求項５乃至請求項７のいずれかに電気二重層キャパシタの漏れ電流測定装置において、該電圧値・電流値測定手段は、電気二重層キャパシタの電圧値及び電流値の測定を、自己放電の開始から定期的に行うことを特徴とする。
【発明の効果】
【００１６】
本発明の電気二重層キャパシタの漏れ電流測定方法及び電気二重層キャパシタの漏れ電流測定装置によれば、オーミックな漏れ電流及びファラディックな漏れ電流それぞれを測定することができるので、この２種類の漏れ電流特性に係る情報を工程管理にフィードバックして生かすことによって、電気二重層キャパシタの製造工程において、きめ細かな工程管理を行い、安定した品質を保持した電気二重層キャパシタの製造を行うことができる。
【発明を実施するための最良の形態】
【００１７】
以下、本発明の実施の形態を図面を参照しつつ説明する。図１は本発明に係る電気二重層キャパシタの漏れ電流測定装置と電気二重層キャパシタを模式的に示す図である。図１において、１は電気二重層キャパシタであり、２は漏れ電流測定装置である。また、図１において、３は集電極であり、４は分極性電極であり、５は電解液であり、６はセパレータであり、これらは電気二重層キャパシタ２の内部構造を模式的に示したものである。漏れ電流測定装置２の２つプローブはそれぞれ電気二重層キャパシタ２の集電極２に電気接続される。
【００１８】
電気二重層キャパシタ１は、図１に示すように、分極性電極４を接着した二枚の集電極３の間に、電解液５、セパレータ５を挟んだ構造となっている。対向した二つの分極性電極４に挟まれるセパレータ６の最小単位はセルと呼ばれる。分極性電極４に含浸した電解液５が漏れ出さないように、積層されたセルは、集電極３の外側から不図示のガスケット等のシール力で密封される。
【００１９】
分極性電極４の材料には、炭素粉末あるいは活性炭繊維を用いる。特に分極性電極４に用いる炭素粉末として、活性炭粉末とカーボンブラックなどの導電性カーボンとを用いるのが望ましい。また、分極性電極４に用いる活性炭には、フェノール樹脂系活性炭、やしがら系活性炭、石油コークス系活性炭などの種類がある。大容量の特性を持ち、高品質である電気二重層キャパシタ１が得られることから、フェノール樹脂系活性炭が用いられる。
活性炭の形状には、粉末状のものと繊維状のものとがある。電気二重層キャパシタを大容量化したり、電気二重層キャパシタの内部抵抗を低くしたりするため、粉末状では、平均粒径が２０μｍ以下であり、比表面積が１０００〜３０００ｍ２／ｇである活性炭を用い、繊維状では、繊維径が１０〜２０μｍであり、比表面積が１０００〜３０００ｍ２／ｇである活性炭を用いることが好ましい。
【００２０】
また、活性炭の賦活処理方法には、水蒸気賦活処理方法や溶融ＫＯＨ賦活処理方法などがある。特に、特性の劣化が少なく信頼性の高い電気二重層キャパシタ１が得られるので、水蒸気賦活処理法による活性炭を用いるのが望ましい。
【００２１】
上記電解液５の電解質として、（Ｃ２Ｈ５）４Ｎ+、（Ｃ４Ｈ９）４Ｎ+、（Ｃ２Ｈ５）４Ｐ+などの第４級オニウムカチオンと、ＢＦ４-、ＰＦ６-、ＣｌＯ４-などのアニオンとからなる塩を用いるのが好ましい。
【００２２】
上記電解液６の有機溶媒として、プロピレンカーボネート、ブチレンカーボネート、ジエチルカーボネートなどのカーボネート類、γ−ブチロラクトンなどのラクトン類、スルホラルなどを用いるのが好ましい。二種類以上の溶媒を併用しても良い。
【００２３】
セパレータ５には、ガラス繊維混抄紙やポリプロピレン不織布などや電解液５をゲル状にしたものなどが用いられる。
【００２４】
次に図２及び図３を参照しつつ、漏れ電流測定装置２による２つの漏れ電流特性の測定の流れについて説明する。図２は、漏れ電流測定装置２による漏れ電流の測定の流れの概略を示す図である。図３は、漏れ電流測定装置２による（ａ）電圧値及び（ｂ）電流値の測定の様子をグラフ化して示す図である。
【００２５】
まず、図２中ステップＳ０に相当する漏れ電流測定装置２による測定の準備について説明する。電気二重層キャパシタ１は、漏れ電流測定装置２により漏れ電流を測定する際には、恒温槽に納められ、一定温度の下に測定が行われる。また、漏れ電流を測定する前には、電気二重層キャパシタ１は、測定毎に同一条件で十分長い時間をかけて充電を行う緩和充電を行う。ここで言う「長い時間」とは、等価回路でのキャパシタの時定数より十分長い時間のことを指す。具体的には、例えば、２５°Ｃに設定された恒温槽に電気二重層キャパシタ１をセットして、２．５Ｖの電源に接続し、一昼夜にわたって充電した後、電源を切り離し、電気二重層キャパシタ１を漏れ電流測定装置２と電気接続する。漏れ電流測定装置２は入力電流が問題とならないような高インピーダンスの測定装置であり、電気二重層キャパシタ１の電圧値・電流値の推移を定期的に測定することができるようになっている。図３に示すように、漏れ電流測定装置２は、ｔｏ、ｔ１、ｔ２、・・と定期的に電気二重層キャパシタ１の電圧値・電流値のデータを取得する。
【００２６】
図２のステップＳ１において、例えば上記のように２．５Ｖの電源に接続され充電された電気二重層キャパシタ１の集電極３は、漏れ電流測定装置２の２つプローブにそれぞれ２に電気接続され、時刻ｔ０において測定が開始される。ここで、漏れ電流測定装置２のタイマがカウントアップを始めると同時に、まず接続初期の電圧値および電流値が測定される。電気二重層キャパシタ１は、２．５Ｖの電源に接続され充電されたわけであるから、この段階での電圧値は２．５Ｖであり、この電圧を定格電圧と称し、これをＶ0と標記する。また、このＶ0し、このときの電流値をＩ0と標記する。以降、漏れ電流測定装置２は、タイマに基づいて定期的に電圧値及び電流値を測定するが、測定第２回目の（電圧値、電流値）を（Ｖ1，Ｉ1）、測定第３回目の（電圧値、電流値）を（Ｖ2，Ｉ2）、・・などと表現することとする。
【００２７】
電気二重層キャパシタ１の自己放電は、電圧値及び電流値共に徐々に下降していく特性を示す（図３参照）。漏れ電流測定装置２は、タイマに基づいて定期的に電圧値及び電流値を測定し、電圧値が０．９Ｖ以下の点となったら（図２のステップＳ１）、この時点での電圧値及び電流値に基づいて、まずオーミックな漏れ電流に関しての計算を行う。このオーミックな漏れ電流特性は、Ｖ＝ＩＲのオーム則に則るものであり、０．９Ｖ以下での電気二重層キャパシタ１の自己放電では、オーミックな漏れ電流のみが観測される。これは、ファラディックな漏れ電流が、電気二重層キャパシタ１中の不純物の電気分解に由来し、このファラディックな漏れ電流は０．９Ｖ以下では発生しないことによるものである。電気二重層キャパシタ１中の不純物の官能基によって定格電圧以下で種々の電気分解が起こり、これが原因となってファラディックな漏れ電流が発生する。電気二重層キャパシタ１中の不純物としては、水による電気分解が最も低く、その電圧値は約１．２Ｖである。従って、定格電圧から１．２Ｖまでの漏れ電流は、（オーミックな漏れ電流）＋（ファラディックな漏れ電流）が測定され、１．２Ｖ以下の漏れ電流は（オーミックな漏れ電流）のみが測定される。本発明では、ファラディックな漏れ電流が発生しないポイントを０．９Ｖ以下として、一応の基準としているが、１．２Ｖから０．９Ｖまでのポイントを基準点としてもよい。また、電気二重層キャパシタ１のオーミックな漏れ電流特性のみを知るために、０．９Ｖ以下のどの電圧値を利用しても良いが、あまりに小さい電圧値を用いることは測定技術上不利なことは言うまでもない。
【００２８】
図３に示すように、０．９Ｖ以下での電気二重層キャパシタ１の自己放電での（電圧値、電流値）を（Ｖ3，Ｉ3）とすると、ここでの電圧値、電流値をオームの法則に当てはめることによって、オーミックな漏れ電流特性における抵抗成分Ｒohmは、
Ｒohm＝Ｖ3／Ｉ3                         （１）
と求めることができる（図２のステップＳ３）。
【００２９】
これによって、電圧値がＶ0の定格電圧におけるオーミックな漏れ電流Ｉohmは、次式（２）によって、
Ｉohm＝Ｖ0／Ｒohm＝Ｖ0Ｉ3／Ｖ3             （２）
と求めることができる。
【００３０】
また、定格電圧での、総漏れ電流が（オーミックな漏れ電流）＋（ファラディックな漏れ電流）であるので、電圧値がＶ0の定格電圧におけるファラディックな漏れ電流Ｉfarは、次式（２）によって、
Ｉfar＝Ｉ0−Ｉohm＝Ｉ0−Ｖ0Ｉ3／Ｖ3         （３）
と計算することができ、これによって、定格電圧における、オーミックな漏れ電流及びファラディックな漏れ電流を知ることができる。
【００３１】
本発明においては、このようにオーミックな漏れ電流及びファラディックな漏れ電流それぞれを測定することができるので、この２種類の自己放電特性に係る情報を工程管理にフィードバックして生かすことによって、きめ細かな工程管理を行い、安定した品質を保持した電気二重層キャパシタの製造を行うことができる。
【００３２】
図３においては、オーミックな漏れ電流を計算することができる電圧値Ｖ3以下の電圧値における測定ポイント（Ｖ4，Ｉ4）及び（Ｖ5，Ｉ5）についても測定を行っているが、このように複数のポイントにおける測定をしておき、オーミックな自己放電特性における抵抗成分Ｒohmの平均値を算出するようにしてより正確を期すこともできる。
【００３３】
次に、漏れ電流測定装置２の動作を司るフローチャートの一例について説明する。なお、この漏れ電流測定装置２に係るフローチャートはあくまで、漏れ電流測定装置２の動作例の一つを示すものに過ぎず、本発明の考え方から逸脱しない限り、漏れ電流測定装置２に他のフローチャートによる動作を行わせることも可能である。図４は、本発明の実施の形態に係る漏れ電流測定装置２の動作を司るフローチャートの一例を示す図である。以下、この図面に沿ってフローチャートについて説明する。
【００３４】
前述のように測定準備がなされた電気二重層キャパシタ１が漏れ電流測定装置２にセットされ、ステップＳ１０で測定が開始される。測定が開始されと、ステップＳ１１へと進み、漏れ電流測定装置２は内蔵するタイマのカウントを開始する。それと同時に、漏れ電流測定装置２はＳ１２において、初期の定格電圧における（電圧値、電流値）のデータセット（Ｖ0，Ｉ0）（第１回目のデータ）を取得する。次に、ステップＳ１３へと進み、タイマのカウントを参照しつつ、一定の時間が経過したかどうかを判定する。タイマのカウントにより一定の時間が経過したと判定されないと、Ｓ１３において、一定の時間が経過した判定されるまでループする。Ｓ１３において、タイマのカウントにより一定の時間が経過したと判定されると、漏れ電流測定装置２はステップＳ１４において、（電圧値、電流値）のデータセット（Ｖn，Ｉn）を取得しステップＳ１５へと進む。ステップＳ１５では、ステップＳ１４で取得されたデータが、電圧値Ｖnが０．９Ｖ以下であるかどうかを判定する。電圧値Ｖnが０．９Ｖ以下ではないと判定されると、ステップＳ１３へと戻り、再びタイマカウントを待って、次のデータ取得を行う。電圧値Ｖnが０．９Ｖ以下であると判定されると、ステップＳ１５へと進み、ステップＳ１４で取得されたデータセット（Ｖn，Ｉn）によって、オーミックな自己放電特性における抵抗成分Ｒを算出する。次に、ステップＳ１７へと進み、初期の定格電圧における（電圧値、電流値）のデータセット（Ｖ0，Ｉ0）に基づいて、定格電圧におけるオーミックな漏れ電流値を算出する。次に、ステップＳ１８へと進み、初期の定格電圧における（電圧値、電流値）のデータセット（Ｖ0，Ｉ0）に基づいて、定格電圧におけるファラディックな漏れ電流値を算出する。次に、ステップＳ１９へと進み、漏れ電流測定装置２の不図示の表示部等に、定格電圧におけるオーミックな漏れ電流値の算出結果、及び、定格電圧におけるファラディックな漏れ電流値の算出結果それぞれを表示する。
【００３５】
オーミックな漏れ電流（自己放電）特性は炭素粉など導電性物質の混入、付着などの原因により発生し、また、ファラディックな漏れ電流（自己放電）特性は、活性炭に含まれる官能基、イオン性不純物などの混入が原因で発生する。
【００３６】
従って、電気二重層キャパシタの生産工程において、本発明によりオーミックな漏れ電流（自己放電）特性が異常を示すことが判明した場合には、電極構造、作業中の清拭工程などを見直すことが考えられ、また、本発明によりファラディックな漏れ電流（自己放電）特性が異常を示すことが判明した場合には、原料の純度の向上、工程中のイオン性汚染の改善、不純物の混入防止等を図ることが考えられる。
【図面の簡単な説明】
【００３７】
【図１】本発明に係る電気二重層キャパシタの漏れ電流測定装置と電気二重層キャパシタを模式的に示す図である。
【図２】漏れ電流測定装置２による漏れ電流特性の測定の流れの概略を示す図である。
【図３】漏れ電流測定装置２による（ａ）電圧値及び（ｂ）電流値の測定の様子をグラフ化して示す図である。
【図４】本発明の実施の形態に係る漏れ電流測定装置２の動作を司るフローチャートの一例を示す図である。
【符号の説明】
【００３８】
１・・・電気二重層キャパシタ、２・・・漏れ電流測定装置、３・・・集電極、４・・・分極性電極、５・・・電解液、６・・・セパレータ
【図１】
2007227486.tif 000003
【図２】
2007227486.tif 000004
【図３】
2007227486.tif 000005
【図４】
2007227486.tif 000006
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
電気二重層キャパシタの自己放電中の電圧値及び電流値を測定することによって、ファラディックな漏れ電流及びオーミックな漏れ電流の２種類の漏れ電流を算出する電気二重層キャパシタの漏れ電流測定方法において、
所定の基準電圧値以下の電圧値Ｖa及びその電圧値Ｖaに対応する電流値Ｉaに基づいて、オーミックな漏れ電流における抵抗値Ｒohmを
Ｒohm＝Ｖa／Ｉa
によって求めておき、該抵抗値Ｒohmに基づいて定格電圧Ｖ0におけるオーミックな漏れ電流値Ｉohmを
Ｉohm＝Ｖ0／Ｒohm＝Ｖ0Ｉa／Ｖa
によって算出し、該定格電圧Ｖ0におけるオーミックな漏れ電流値Ｉohm及び該定格電圧Ｖ0に対応する電流値Ｉ0に基づいて、ファラディックな漏れ電流値Ｉfarを
Ｉfar＝Ｉ0−Ｉohm＝Ｉ0−Ｖ0Ｉa／Ｖa
によって算出することを特徴とする電気二重層キャパシタの漏れ電流測定方法。
【請求項２】
該所定の基準電圧値を０．９Ｖと定義することを特徴とする請求項１に記載の電気二重層キャパシタの漏れ電流測定方法。
【請求項３】
該所定の基準電圧値を１．２Ｖと定義することを特徴とする請求項１に記載の電気二重層キャパシタの漏れ電流測定方法。
【請求項４】
電気二重層キャパシタの自己放電中の電圧値及び電流値の測定は、自己放電の開始から定期的に行うことを特徴とする請求項１乃至請求項３のいずれかに電気二重層キャパシタの漏れ電流測定方法。
【請求項５】
ファラディックな漏れ電流及びオーミックな漏れ電流の２種類の漏れ電流を算出する電気二重層キャパシタの漏れ電流測定装置において、
電気二重層キャパシタの自己放電の開始から電圧値及び電流値を測定する電圧値・電流値測定手段と、
該電圧値・電流値測定手段によって取得された電圧値が所定の電圧値以下となったとき、この取得された電圧値Ｖa及びその電圧値Ｖaに対応する電流値Ｉaに基づいて、オーミックな漏れ電流における抵抗値Ｒohmを
Ｒohm＝Ｖa／Ｉa
によって算出する抵抗値算出手段と、
該抵抗値算出手段によって算出された該抵抗値Ｒohmに基づいて、定格電圧Ｖ0におけるオーミックな漏れ電流値Ｉohmを
Ｉohm＝Ｖ0／Ｒohm＝Ｖ0Ｉa／Ｖa
によって算出するオーミックな漏れ電流算出手段と、
該オーミックな漏れ電流算出手段によって算出された定格電圧Ｖ0におけるオーミックな漏れ電流値Ｉohm及び該定格電圧Ｖ0に対応する電流値Ｉ0に基づいて、定格電圧Ｖ0におけるファラディックな漏れ電流値Ｉfarを
Ｉfar＝Ｉ0−Ｉohm＝Ｉ0−Ｖ0Ｉa／Ｖa
によって算出するファラディックな漏れ電流算出手段と、を有することを特徴とする電気二重層キャパシタの漏れ電流測定装置。
【請求項６】
該所定の基準電圧値を０．９Ｖと定義することを特徴とする請求項５に記載の電気二重層キャパシタの漏れ電流測定装置。
【請求項７】
該所定の基準電圧値を１．２Ｖと定義することを特徴とする請求項５に記載の電気二重層キャパシタの漏れ電流測定装置。
【請求項８】
該電圧値・電流値測定手段は、電気二重層キャパシタの電圧値及び電流値の測定を、自己放電の開始から定期的に行うことを特徴とする請求項１乃至請求項７のいずれかに電気二重層キャパシタの漏れ電流測定装置。
【手続補正２】
【補正対象書類名】明細書
【補正対象項目名】０００８
【補正方法】変更
【補正の内容】
【０００８】
本発明は、上記課題を解決するものであって、請求項１に係る発明は、電気二重層キャパシタの自己放電中の電圧値及び電流値を測定することによって、ファラディックな漏れ電流及びオーミックな漏れ電流の２種類の漏れ電流を算出する電気二重層キャパシタの漏れ電流測定方法において、所定の基準電圧値以下の電圧値Ｖa及びその電圧値Ｖaに対応する電流値Ｉaに基づいて、オーミックな漏れ電流における抵抗値Ｒohmを
Ｒohm＝Ｖa／Ｉa
によって求めておき、該抵抗値Ｒohmに基づいて定格電圧Ｖ0におけるオーミックな漏れ電流値Ｉohmを
Ｉohm＝Ｖ0／Ｒohm＝Ｖ0Ｉa／Ｖa
によって算出し、該定格電圧Ｖ0におけるオーミックな漏れ電流値Ｉohm及び該定格電圧Ｖ0に対応する電流値Ｉ0に基づいて、ファラディックな漏れ電流値Ｉfarを
Ｉfar＝Ｉ0−Ｉohm＝Ｉ0−Ｖ0Ｉa／Ｖa
によって算出することを特徴とする。
【手続補正３】
【補正対象書類名】明細書
【補正対象項目名】００１２
【補正方法】変更
【補正の内容】
【００１２】
また、請求項５に係る発明は、ファラディックな漏れ電流及びオーミックな漏れ電流の２種類の漏れ電流を算出する電気二重層キャパシタの漏れ電流測定装置において、電気二重層キャパシタの自己放電の開始から電圧値及び電流値を測定する電圧値・電流値測定手段と、該電圧値・電流値測定手段によって取得された電圧値が所定の電圧値以下となったとき、この取得された電圧値Ｖa及びその電圧値Ｖaに対応する電流値Ｉaに基づいて、オーミックな漏れ電流における抵抗値Ｒohmを
Ｒohm＝Ｖa／Ｉa
によって算出する抵抗値算出手段と、該抵抗値算出手段によって算出された該抵抗値Ｒohmに基づいて、定格電圧Ｖ0におけるオーミックな漏れ電流値Ｉohmを
Ｉohm＝Ｖ0／Ｒohm＝Ｖ0Ｉa／Ｖa
によって算出するオーミックな漏れ電流算出手段と、該オーミックな漏れ電流算出手段によって算出された定格電圧Ｖ0におけるオーミックな漏れ電流値Ｉohm及び該定格電圧Ｖ0に対応する電流値Ｉ0に基づいて、定格電圧Ｖ0におけるファラディックな漏れ電流値Ｉfarを
Ｉfar＝Ｉ0−Ｉohm＝Ｉ0−Ｖ0Ｉa／Ｖa
によって算出するファラディックな漏れ電流算出手段と、を有することを特徴とする。
【手続補正４】
【補正対象書類名】明細書
【補正対象項目名】００１８
【補正方法】変更
【補正の内容】
【００１８】
電気二重層キャパシタ１は、図１に示すように、分極性電極４を接着した二枚の集電極３の間に、電解液５、セパレータ６を挟んだ構造となっている。対向した二つの分極性電極４に挟まれるセパレータ６の最小単位はセルと呼ばれる。分極性電極４に含浸した電解液５が漏れ出さないように、積層されたセルは、集電極３の外側から不図示のガスケット等のシール力で密封される。
【手続補正５】
【補正対象書類名】明細書
【補正対象項目名】００２１
【補正方法】変更
【補正の内容】
【００２１】
上記電解液５の電解質として、（Ｃ2Ｈ5）４Ｎ+、（Ｃ4Ｈ9）4Ｎ+、（Ｃ2Ｈ5）4Ｐ+などの第４級オニウムカチオンと、ＢＦ4-、ＰＦ6-、ＣｌＯ4-などのアニオンとからなる塩を用いるのが好ましい。
【手続補正６】
【補正対象書類名】明細書
【補正対象項目名】００２２
【補正方法】変更
【補正の内容】
【００２２】
上記電解液５の有機溶媒として、プロピレンカーボネート、ブチレンカーボネート、ジエチルカーボネートなどのカーボネート類、γ−ブチロラクトンなどのラクトン類、スルホラルなどを用いるのが好ましい。二種類以上の溶媒を併用しても良い。
【手続補正７】
【補正対象書類名】明細書
【補正対象項目名】００２３
【補正方法】変更
【補正の内容】
【００２３】
セパレータ６には、ガラス繊維混抄紙やポリプロピレン不織布などや電解液５をゲル状にしたものなどが用いられる。